(57)【要約】【課題】本社で各建設現場の労務者および資源を管理することができる建設現場の資源統制管理システム用端末機を提供する。【解決手段】建設現場の資源統制管理システム用端末機であって、前記端末機は、ケースと前方ケースで構成されるハウジングと、出入り者のＱＲコード（登録商標）情報またはＢＡＲコード情報を読み込んでメインボードに送信するＱＲ／ＢＡＲコード情報認識モジュールと、出入り者の指紋情報を読み込んでメインボードに送信する指紋認識モジュールと、出入り者の虹彩情報を読み込んでメインボードに送信する虹彩認識モジュールと、前記虹彩認識モジュールによって出入り者の虹彩情報を読み込む時に連動して虹彩情報読み込みを助ける虹彩ＩＲモジュールと、メインボードから伝送される音響情報を出力する音声出力手段を含み、各種連結ポートはハウジングの下面に具備される。【選択図】図２
2019036275.tif 000002
【特許請求の範囲】
【請求項１】
外部装置とデータを送受信する通信部と、遮断器の動作信号を出力する遮断器リレーと、被写体を撮像するカメラモジュールと、ＲＦＩＤカードに保存された情報を読み込むＲＦＩＤ認識モジュールと、ディスプレイ部と、表示ランプと、電源インターフェース部と、実行プログラムとデータが保存されるメモリと、前記メモリに保存された実行プログラムおよびデータとセンサーからの感知信号とカメラモジュールからのイメージとＲＦＩＤ認識モジュールから入力される情報を利用して通信部と遮断器リレーと表示装置と表示ランプを制御するメインボードと、電源、外部装備および通信網と連結される各種連結ポートを含み、建設現場に設置されて建設現場の労務者および資源を統制管理するための建設現場の資源統制管理システム用端末機であって、
前記端末機（１００）は、
前方が開放されたボックス状のケース（１１０）と、前記ケース（１１０）の前面を開閉する前方ケース（１２０）で構成されるハウジングと、
前記ハウジングの前面部の一側中間部に装着されて前記メインボード（１０８）と電気的に連結され、ＲＦＩＤ認識モジュール（１０２）の下端部に後方に窪んで形成された収納部（１２５）の天井面上に装着され、出入り者のＱＲコード（登録商標）情報またはＢＡＲコード情報を読み込んで、読み込んだ前記ＢＡＲコード情報をメインボード（１０８）に送信するＱＲ／ＢＡＲコード情報認識モジュール（１０２−１）と、
前記ハウジングの前面部の下端の他側に装着されて前記メインボード（１０８）と電気的に連結され、出入り者の指紋情報を読み込んで、読み込んだ前記指紋情報をメインボード（１０８）に送信する指紋認識モジュール（１０６）と、
前記ハウジングの前面部の上端に装着されて前記メインボード（１０８）と電気的に連結され、出入り者の虹彩情報を読み込んで、読み込んだ前記虹彩情報をメインボード（１０８）に送信する虹彩認識モジュール（１０３）と、
前記ハウジングの前面部の上端に装着されて前記メインボード（１０８）と電気的に連結され、前記虹彩認識モジュール１０３によって出入り者の虹彩情報を読み込む時に連動して虹彩情報の読み込みを助ける虹彩ＩＲモジュール（１０３ａ）と、
前記ハウジングの下面部の両側に装着されて前記メインボード（１０８）と電気的に連結され、メインボード（１０８）から伝送される音響情報を出力する音声出力手段（１０７）を含み、
電源、外部装備および通信網と連結される各種連結ポートが、ハウジングの下面に具備されることを特徴とする、建設現場の資源統制管理システム用端末機。
【請求項２】
前記表示ランプ（１０１）は、
前記メインボード（１０８）の制御により緑色または赤色を選択的に出力し、
緑色は認証、赤色は非認証を示すことを特徴とする、請求項１に記載の建設現場の資源統制管理システム用端末機。
【発明の詳細な説明】
【技術分野】
【０００１】
本発明は建設現場の資源統制管理システム用端末機に関するもので、さらに詳細にはＲＦＩＤ（Ｒａｄｉｏ  Ｆｒｅｑｕｅｎｃｙ  ＩＤｅｎｔｉｆｉｃａｔｉｏｎ）、ＱＲコード（登録商標）（Ｑｕｉｃｋ  Ｒｅｓｐｏｎｓｅ  ｃｏｄｅ）、バーコード（Ｂａｒｃｏｄｅ）または生体認識技術を活用して、建設現場で労務者の出入りはもちろん、建設現場に要される各種資源の建設現場内への投入および搬出現況を統制および管理する建設現場の資源統制管理システム用端末機に関するものである。
【背景技術】
【０００２】
国内の大型建設プロジェクトにバーコードシステムを活用した労務人材管理および主要資材の物流管理が活用されたことがあるが、バーコードシステムが有している限界性により建設現場への定着はさほど成功的ではなかった。最近では物流および流通分野だけでなく建設産業現場にもＲＦＩＤシステムが導入されている。
【０００３】
主に都心で遂行される大規模建設プロジェクトの特性上、周辺の交通に大きく影響を受けるため、工程の遅延および空白なしに要求される品質で工事を遂行するためには建設現場に対する全般的な情報管理の効率化が必要である。
【０００４】
住宅公社の０１〜０７年度住宅建設事業の工事費の内訳を分析してみると、材料費が全アパート工事費の４４．５％を占めて最も大きい比重を占めており、労務費が３７．１％を占めている。また、アパート建設におけるトップ１０の所要資材のうち生コンが全体の資材構成費の２７．６％を占めており、鉄筋が１８．９％を占めている。そのうち生コンは、最近超高層化されている住宅商店複合工事のコンクリートの高品質の確保のために、生コン発注から現場打設に至るまで生コン車両の待機時間を最小化する必要がある。
【０００５】
国内の事例を参照すれば、サムスン建設でドゴクドンのタワーペリスプロジェクトにバーコードを利用した労務および資材管理システムを導入して得た、直、間接費用効果は約４１億ウォンに達し、工期も１ヶ月程度短縮されたものと表わされている。バーコードシステムよりも進歩した技術であるＲＦＩＤシステムを適用して管理する場合、それ以上の期待効果が得られると予想される。
【０００６】
一方、本出願人はネットワーク基盤の建設現場管理システムおよびその方法に関して、韓国登録特許第１０−０５９７９８５号公報と、ＲＦＩＤを利用した出入り統制システムの出入り統制装置に関して韓国登録特許第１０−０９１７７７１号公報を開示したことがある。
【０００７】
韓国登録特許第１０−０５９７９８５号公報は、建設現場に設置されたカードリーダーおよびハンディーターミナルによって読み込んだまれた労務者の情報認識カードに記録された労務管理情報、安全管理情報および物流管理情報をカード制御器を通じて入力を受けた後、これをネットワーク通信網を通じて管理者端末機にリアルタイムで伝送することによって、管理者が建設現場に対するデータ情報を遠隔でリアルタイムで管理できるようにする技術である。韓国登録特許第１０−０９１７７７１号公報は、車両の高さを感知した後、設置されたＲＦＩＤリーダーの高さを上下に移動できるように構成してＲＦＩＤ受信効率を高め、ＲＦＩＤリーダーの受信信号と連動して遮断器および電光掲示板が作動するようにする技術である。
【０００８】
これまで本出願人は、多様な建設会社との業務協約を通じて、建設現場にネットワーク基盤の建設現場管理システムとＲＦＩＤを利用した出入り統制システムの出入り統制装置を設置する作業を遂行してきた。このような過程で本出願人は、建設プロジェクトにおいて主となる建設会社と多くの協力業者で提供する建設労務者の管理が非常に複雑で随時変更が起きるということと、建設現場で要される各種資源に対する搬出入現況も統制および管理しなければならないということがわかった。殆どの労務者管理と建設現場に投入および搬出される各種資源に対する管理は本社でなされるが、時には建設現場で労務者情報または資源の搬出入情報を入力し、これを本社に伝送して、本社で管理するようにすることが発生したりもした。このような点を考慮したＲＦＩＤ、ＱＲコード（登録商標）、ＲＡＲコードのようなコード情報の認識はもちろん、指紋情報および虹彩情報などのような生体情報も認識する機能を具備した多機能マルチ情報認識機能を搭載し、建設現場に設置されて建設労務者の出入りはもちろん、建設現場に要される資源の搬出入を統制および管理することができ、建設現象の劣悪な気候条件下でも最適の状態を維持できる構造を有する、建設現場の資源統制管理システム用端末機が必要であるのが実情である。
【０００９】
特に、多数の企業体に所属した人材の多様な形態の情報も迅速に認識して統制管理することはもちろん、予期せぬ外部人材の訪問時にも訪問人材のそれぞれが携帯しているスマートフォン上に、現場で直ちに生成されるＱＲコード（登録商標）またはＢＡＲコードを搭載させて統制管理するために、各種コード情報および生体情報を認識できる多機能マルチ情報認識機能が搭載された建設現場の資源統制管理システム用端末機が切に要されている。
【先行技術文献】
【特許文献】
【００１０】
【特許文献１】韓国登録特許第１０−０５９７９８５号公報
【特許文献２】韓国登録特許第１０−０９１７７７１号公報
【発明の概要】
【発明が解決しようとする課題】
【００１１】
本発明は前記の問題を解決するために案出されたもので、その目的は建設現場の資源統制管理システムに通信網を通じて連結され、建設現場に設置されて建設現場の劣悪な気候条件においても具備した多重認識機能の作動状態を最適の状態に維持させながら、建設現場で労務者の出役および資源の搬出入を統制するとともに読み込みおよび入力された労務者の出役情報および建設現場に要される各種資源に対する搬出入情報を本社に伝送して、本社で各建設現場の労務者および資源を効率的に管理することができ、予期せぬ外部人材の出入り時にも現場でリアルタイムで生成されたＱＲコード（登録商標）またはＢＡＲコードをそれぞれの外部人材のスマートフォンに搭載させて遅滞なくすぐに統制管理できるようにする、建設現場の資源統制管理システム用端末機を提供することである。
【００１２】
本発明が解決しようとする課題は以上で言及した課題に制限されず、ここに言及されていない本発明が解決しようとするさらに他の課題は以下の記載から本発明が属する技術分野で通常の知識を有した者に明確に理解できるはずである。
【課題を解決するための手段】
【００１３】
前記本発明の目的は、外部装置とデータを送受信する通信部と、遮断器の動作信号を出力する遮断器リレーと、被写体を撮像するカメラモジュールと、ＲＦＩＤカードに保存された情報を読み込むＲＦＩＤ認識モジュールと、ディスプレイ部と、表示ランプと、電源インターフェース部と、実行プログラムとデータが保存されるメモリと、前記メモリに保存された実行プログラムおよびデータとセンサーからの感知信号とカメラモジュールからのイメージとＲＦＩＤ認識モジュールから入力される情報を利用して通信部と遮断器リレーと表示装置と表示ランプを制御するメインボードと、電源、外部装備および通信網と連結される各種連結ポートを含み、建設現場に設置されて建設現場の労務者および資源を統制管理するための建設現場の資源統制管理システム用端末機において、前記端末機は前方が開放されたボックス状のケースと、前記ケースの前面を開閉する前方ケースで構成されるハウジングと、前記ハウジングの前面部の一側中間部に装着されて前記メインボードと電気的に連結され、出入り者のＱＲコード（登録商標）情報またはＢＡＲコード情報を読み込んで、その読み込んだ情報をメインボードに送信するＱＲ／ＢＡＲコード情報認識モジュールと、前記ハウジングの前面部の下端の他側に装着されて前記メインボードと電気的に連結され、出入り者の指紋情報を読み込んで、その読み込んだ情報をメインボードに送信する指紋認識モジュールと、前記ハウジングの前面部の上端に装着されて前記メインボードと電気的に連結され、出入り者の虹彩情報を読み込んで、その読み込んだ情報をメインボードに送信する虹彩認識モジュールと、前記ハウジングの前面部の上端に装着されて前記メインボードと電気的に連結され、前記虹彩認識モジュールによって出入り者の虹彩情報を読み込む時に連動して虹彩情報読み込みを助ける虹彩ＩＲモジュールと、前記ハウジングの下面部の両側に装着されて前記メインボードと電気的に連結され、メインボードから伝送される音響情報を出力する音声出力手段を含み、電源、外部装備および通信網と連結される各種連結ポートはハウジングの下面に具備されることを特徴とする、建設現場の資源統制管理システム用端末機によって達成され得る。
【発明の効果】
【００１４】
前記課題を解決する手段によって、本発明に係る建設現場の資源統制管理システム用端末機は、ＲＦＩＤ、ＱＲコード（登録商標）、バーコードのようなカード情報認識機能と虹彩情報、指紋情報のような生体情報認識機能をすべて具備した多重認証方式を通じて各労務者および資源に対する正確な認証を実施し、認証された建設現場労務者の出役情報および建設現場に要される多様な資源の搬出入情報を迅速に入力できるようにすることによって、建設現場の資源統制管理システムを通した建設現場の労務者の出役および資源の搬出入を効率的に統制および管理できる効果がある。
【図面の簡単な説明】
【００１５】
【図１】本発明に係る建設現場の資源統制管理システム用端末機を図示した正面図。
【図２】本発明に係る建設現場の資源統制管理システム用端末機を図示した斜視図。
【図３】本発明に係る建設現場の資源統制管理システム用端末機の制御部と連結される構成要素およびその構成要素間の相互有機的な相関関係を例示するブロック図。
【発明を実施するための形態】
【００１６】
以上のような本発明に対する解決しようとする課題、課題の解決手段、発明の効果を含む具体的な事項は、以下に記載する実施例および図面に含まれている。本発明の利点および特徴、そしてそれらを達成する方法は添付される図面とともに詳細に後述されている実施例を参照すれば明確となるであろう。
【００１７】
以下、添付された図面を参照して本発明に係る建設現場の資源統制管理システム用端末機の好ましい実施例を具体的に説明する。
【００１８】
図１〜図３を参照すると、本発明に係る建設現場の資源統制管理システム用端末機１００は、外部装置とデータを送受信する通信部１５０と被写体を撮像するカメラモジュール１０４と、ＲＦＩＤカードに保存された情報を読み込むＲＦＩＤ認識モジュール１０２と、ディスプレイ部１０１と、表示ランプ１０５と、実行プログラムとデータが保存されるメモリ１６０と、前記メモリ１６０に保存された実行プログラムおよびデータとセンサーからの感知信号とカメラモジュール１０４からのイメージとＲＦＩＤ認識モジュール１０２から入力される情報を利用して通信部１５０と遮断器リレーとディスプレイ部１０２と表示ランプ１０５を制御するメインボード１０８と、電源、外部装備および通信網と連結される各種連結ポートを含み、建設現場に設置されて建設現場の労務者および資源を統制管理するための通常の建設現場の資源統制管理システム用端末機１００に、前方が開放されたボックス状のケース１１０と、前記ケース１１０の前面を開閉する前方ケース１２０で構成されるハウジングと、ＱＲ／ＢＡＲコード情報認識モジュール１０２−１と、指紋認識モジュール１０６と、虹彩認識モジュール１０３と、虹彩ＩＲモジュール１０３ａと、音声出力手段１０７をさらに含み、電源、外部装備および通信網と連結される各種連結ポートはハウジングの下面に備えられる。
【００１９】
前記ＱＲ／ＢＡＲコード情報認識モジュール１０２−１は、前記ハウジングの前面部の一側中間部に装着されて前記メインボード１０８と電気的に連結され、ＲＦＩＤ認識モジュール１０２の下端部に後方に窪んで形成された収納部１２５の天井面上に装着され、出入り者のＱＲコード（登録商標）情報またはＢＡＲコード情報を読み込んで、その読み込んだ情報をメインボード１０８に送信する。
【００２０】
前記指紋認識モジュール１０６は、前記ハウジングの前面部の下端の他側に装着されて前記メインボード１０８と電気的に連結され、出入り者の指紋情報を読み込んで、その読み込んだ情報をメインボード１０８に送信する。
【００２１】
前記虹彩認識モジュール１０３は、前記ハウジングの前面部の上端に装着されて前記メインボード１０８と電気的に連結され、出入り者の虹彩情報を読み込んで、その読み込んだ情報をメインボード１０８に送信する。
【００２２】
前記虹彩ＩＲモジュール１０３ａは、前記ハウジングの前面部の上端に装着されて前記メインボード１０８と電気的に連結され、前記虹彩認識モジュール１０３によって出入り者の虹彩情報を読み込む時に連動して虹彩情報読み込みを助ける。
【００２３】
前記音声出力手段１０７は、前記ハウジングの下面部の両側に装着されて前記メインボード１０８と電気的に連結され、メインボード１０８から伝送される音響情報を出力する。
【００２４】
前記ハウジングは、前面が開放されたボックス状のケース１１０と前記ケース１１０の前方を開閉する前方ケース１２０で構成され、電源、外部装備および外部通信網と連結されるすべてのポートは下面に備えられており、雨が降った後および劣悪な気候環境においても耐え得る耐久性を有するように製作される。
【００２５】
前記前方ケース１２０上には、カメラモジュール１０４または虹彩認識モジュール１０３のうち一つを選択的に設置する第２設置具１２２と、第２設置具１２２に虹彩認識モジュール１０３が設置された時にのみ正確な虹彩認識を助けるための虹彩ＩＲ１０３ａが設置される第１設置具１２１と、ディスプレイ部１０１が設置される第３設置具１２３と、ＲＦＩＤ認識モジュール（またはＱＲコード（登録商標）認識モジュール）１０２が設置される第４設置具１２５と、指紋認識モジュール１０６が設置される第５設置具１２６と、承認および不承認状態を表示する表示ランプ１０５を具備する。
【００２６】
前記カメラモジュール１０４はウェブカメラであり、前記虹彩認識モジュール１０３と選択的にハウジングの前面部に装着され得ると、端末機１００にカメラモジュール１０４が設置された場合には出入り者などを撮影してそのイメージ情報を保存および送信する。
【００２７】
本発明に係る建設現場の資源統制管理システム用端末機１００は半永久的なものであって、建設現場の劣悪な気候条件下でも多重機能をエラーなく作動できるように正常状態を維持させるため、円滑な建設労務者の出役管理はもちろん建設現場に要される各種資源の搬出入状況を正確かつ迅速に統制および管理できる利点がある。
【００２８】
このように、前述した本発明の技術的構成は、本発明が属する技術分野の当業者が本発明のその技術的思想や必須特徴を変更することなく他の具体的な形態で実施できることが理解できるはずである。
【００２９】
したがって、以上で記述した実施例はすべての面において例示的なものであり、限定的なものではないと理解されるべきであり、本発明の範囲は前記詳細な説明よりは後述する特許請求の範囲によって定められ、特許請求の範囲そしてその等価概念から導き出されるすべての変更または変形された形態は本発明の範囲に含まれるものと解釈されるべきである。
【図１】
2019036275.tif 000003
【図２】
2019036275.tif 000004
【図３】
2019036275.tif 000005